(57)【特許請求の範囲】
【請求項１】
筐体と、前記筐体の前面に開閉可能に設けられる前扉と、周面に複数の識別情報が付記された回転リールを有する回転リールユニットと、演出情報を表示可能な演出表示装置と、遊技を統括的に制御する主制御基板と、前記主制御基板の命令に基づいて前記演出表示装置を制御する副制御基板と、前記主制御基板の命令に基づいて前記回転リールの回転を制御する回転リール制御基板とを備えた遊技機において、
前記回転リールユニットを、前記前扉の上部に設けた識別情報表示窓から前記識別情報が視認できるように前記筐体内の上部に設けた上棚板上に配置すると共に、前記主制御基板及び前記副制御基板を、前記筐体内にあって、前記上棚板とその下方に配置される下棚板との間に形成される中部屋に配置し、さらに、前記回転リール制御基板を、前記回転リールユニットの底面に固定すると共に、前記上棚板に設けた連通部を介して前記中部屋側に露出させたことを特徴とする遊技機。
【請求項２】
前記演出表示装置を、前記前扉の裏面における前記中部屋に対向する箇所に取り付けたことを特徴とする請求項１記載の遊技機。
【請求項３】
前記連通部を、前記上棚板の前端が開放し得るような切欠き状としたことを特徴とする請求項１または２記載の遊技機。
【発明の詳細な説明】
【技術分野】
【０００１】
本発明は、周面に複数の識別情報が付記された回転リールを備えた遊技機に関する。
【背景技術】
【０００２】
遊技機としてのスロットマシンにおいては、筐体と、筐体の前面に開閉可能に設けられる前扉と、周面に複数の識別情報が付記された回転リールを有する回転リールユニットと、遊技に関する演出情報を表示可能な演出表示装置と、遊技を統括的に制御する主制御基板と、主制御基板の命令に基づいて演出表示装置を制御する副制御基板等を備え、回転リールが停止した際の識別情報の組み合わせにより入賞／非入賞が確定する。演出表示装置には、内部当選役の報知、大当りやハズレの発生を予測することができるようにした演出画像が表示される。また、遊技を行なう際、遊技者が演出表示装置に表示される演出画像を見易いようにするため、演出表示装置を筐体のほぼ中央部に配置すると共に、回転リールを演出表示装置の上方に配置する（例えば、特許文献１参照）。
【特許文献１】特開２００５−４６３７５号公報
【発明の開示】
【発明が解決しようとする課題】
【０００３】
上述のように、回転リールを演出表示装置の上方に配置した形態の遊技機においては、検査時に、前扉を開けた状態で主制御基板が確認されるように、主制御基板はスペース的に余裕がある回転リールの下方に配置される。しかし、主制御基板を回転リールの下方に配置した配置関係であると、主制御基板と回転リール制御基板との間に、回転リールユニットを筐体内に支持するための棚板が介在して、主制御基板と回転リール制御基板とを繋ぐ配線は棚板を避けて行われる。その結果、配線が長くなると共に、配線作業が面倒になる。
【０００４】
本発明は、上述のような課題に鑑み、主制御基板と回転リール制御基板との配線を容易に行うことができるようにした遊技機を提供することを目的とする。
【課題を解決するための手段】
【０００５】
本発明によると、上記課題は、次のようにして解決される。
（１）筐体と、前記筐体の前面に開閉可能に設けられる前扉と、周面に複数の識別情報が付記された回転リールを有する回転リールユニットと、演出情報を表示可能な演出表示装置と、遊技を統括的に制御する主制御基板と、前記主制御基板の命令に基づいて前記演出表示装置を制御する副制御基板と、前記主制御基板の命令に基づいて前記回転リールの回転を制御する回転リール制御基板とを備えた遊技機において、前記回転リールユニットを、前記前扉の上部に設けた識別情報表示窓から前記識別情報が視認できるように前記筐体内の上部に設けた上棚板上に配置すると共に、前記主制御基板及び前記副制御基板を、前記筐体内にあって、前記上棚板とその下方に配置される下棚板との間に形成される中部屋に配置し、さらに、前記回転リール制御基板を、前記回転リールユニットの底面に固定すると共に、前記上棚板に設けた連通部を介して前記中部屋側に露出させる。
【０００６】
（２）上記(１)項において、前記演出表示装置を、前記前扉の裏面における前記中部屋に対向する箇所に取り付ける。
【０００７】
（３）上記(１)または(２)項において、前記連通部を、前記上棚板の前端が開放し得るような切欠き状とする。
【発明の効果】
【０００８】
本発明によれば、次のような効果が奏せられる。
請求項１記載の発明によると、主制御基板、副制御基板及び回転リール制御基板を中部屋に集中して配置することができるため、特に、主制御基板と回転リール制御基板とを電気的に接続する配線を容易に行うことができる。
【０００９】
請求項２記載の発明によると、前扉を開けた状態において、主制御基板及び副制御基板を遮るものが一切存在しないため、遊技機の検査時に、主制御基板及び副制御基板を簡単に確認することができる。また、演出表示装置と副制御基板との位置関係も近くなり、それらを接続する配線を短くして簡単に接続することができる。
【００１０】
請求項３記載の発明によると、回転リールユニットを筐体の上部奥に押し込むことによって、回転リール制御基板が上棚板に引っ掛かることなく、回転リールユニットを上棚板上に簡単に固定することができる。
【発明を実施するための最良の形態】
【００１１】
以下、本発明の一実施形態を図面に基づいて説明する。図１は、本発明を適用した遊技機の正面図、図２は、前扉２を開けた状態の遊技機の正面図、図３は、図２におけるIII−III線断面図、図４は、遊技機の一部分解斜視図である。なお、以下の説明では、図１において紙面手前側を「前方」とし、図１において紙面奥側を「後方」とし、図１において左側を「左方」とし、図１において右側を「右方」とする。
【００１２】
遊技機１としてのスロットマシンは、前面が開放した正面視矩形の筐体２と、筐体２の左側部に上下１対のヒンジ４により開閉可能に枢支された前扉３とを備える。
【００１３】
なお、本実施形態において、遊技機１を遊技媒体がメダル（コインを含む）とするスロットマシンとして説明するが、本発明は、これに特定されるものでなく、遊技機１を遊技媒体がパチンコ玉であるスロットマシンとしても良い。
【００１４】
筐体２内は、上棚板５及び下棚板６により上、中、下部屋２Ａ、２Ｂ、２Ｃに仕切られる。上棚板５には、主に図４に示すように、上部屋（筐体２の天板２１と上棚板５間に形成される部屋）２Ａと中部屋（上棚板５と下棚板６間に形成される部屋）２Ｂとを連通する前方が開放した切欠き状の連通部５１が設けられている。なお、連通部５１は、切欠状に代えて開口孔としても良い。
【００１５】
図２〜図４に示すように、筐体２内における上部屋２Ａには、図柄、数字等で構成される識別情報を外周面に付記した３個の回転リール７１を有する回転リールユニット７が配置されている。同じく中部屋２Ｂには、透明な合成樹脂製の基板ケース９内に収容され、遊技を統括的に制御する主制御基板１０と、主制御基板１０の命令に基づいて演出装置（後述の液晶表示装置１５、スピーカ１７、ランプ等）を制御する副制御基板１２と、主制御基板１０の命令に基づいて回転リールユニット７を制御する回転リール制御基板１３とが配置されている。同じく下部屋２Ｃには、メダルを貯留及び払出可能なホッパーユニット８と、外部電源を各種遊技機器へ供給するための電源ユニット１１が配置されている。
【００１６】
図１に示すように、前扉３の前面上部には、回転リール７１の識別情報を３こまずつ透視可能な識別情報表示窓３１が設けられ、識別情報表示窓３１の下方には、後述の液晶表示装置１５に表示される遊技情報及び演出情報を透視可能な演出情報表示窓３２が設けられ、演出情報表示窓３２の下方には、遊技を行うときにメダルが投入されるメダル投入部１４と、メダルの賭数を設定するベットスイッチボタン３３と、全ての回転リール７１を一斉に回転させるときに操作されるスタートスイッチレバー３４と、各回転リール７１の回転を個別に停止させるときに操作される３個のストップスイッチボタン３５等が設けられる。ベットスイッチボタン３３、スタートスイッチボタン３４、ストップスイッチボタン３５の各操作信号は、主制御基板１０に入力され、主制御基板１０は、これらの各操作信号に基づいて各遊技機器を制御する。
【００１７】
図３、４に示すように、前扉３の裏面には、遊技に関する遊技情報及び演出情報を表示可能な演出表示装置をなす液晶表示装置１５、演出効果音を発生するスピーカ１７、多数のランプ（図示略）、及びその他の遊技機器が配置されている。液晶表示装置１５は、前扉３の裏面側における中部屋２Ｂに対向する箇所に配置される。また、液晶表示装置１５の上方には、副制御基板１２から出力される制御信号を中継する演出接続基板１６が配置される。
【００１８】
遊技機１の遊技は、遊技者がメダルをメダル投入部１４に投入した後、ベットスイッチボタン３３によりメダルの賭数を設定した後、スタートスイッチレバー３４を操作して、全ての回転リール７１を回転させることによって開始される。
【００１９】
回転リール７１が回転して所定時間が経過した後、３個のストップスイッチボタン３５を順次操作して、各回転リール７１の回転を停止させ、停止した３個の回転リール７１の識別情報の組み合わせにより、入賞の有無、及び賞の大小に応じたメダルの配当枚数が確定され、入賞した場合には、予め定めた入賞枚数分だけホッパーユニット８から前扉３の下部に設けられたメダル受皿３６にメダルが払い出される。
【００２０】
次に、各基板１０、１２、１３及び回転リールユニット７について説明する。主制御基板１０は、不正改造ができないように透明な基板ケース９内に収容された状態で、中部屋２Ｂにおける後板（筐体２の後面を閉塞する板）２２に固定される。副制御基板１２は、下棚板６上に固定されると共に、配線１８を介して主制御基板１０に接続される。前扉３を開けた状態においては、液晶表示装置１５が前扉３に配置されているため、主制御基板１０及び副制御基板１２を遮るものが一切存在しない。よって、遊技機１の検査時に、主制御基板１０及び副制御基板１２を容易に確認することができる。
【００２１】
回転リールユニット７は、回転リール７１及び回転リール７１を支持するためのベース部材７２を備え、上棚板５上に配置される。
【００２２】
回転リール制御基板１３は、連通部５１に対応する箇所にあって、回転リールユニット７のベース部材７２の底面に固定され、回転リールユニット７を上棚板５上に配置することによって、連通部５１を介して中部屋２Ｂ側に露出し、その状態で配線１９を介して主制御基板１０に接続される。
【００２３】
回転リールユニット７を筐体２内に取り付ける場合には、ベース部材７２を挿通部５１に沿って上部屋２Ａの奥に押し込んで、係合ピン７３を上棚板５上に設けられた係合片５２に係合させることによって、回転リール制御基板１３が上棚板５に引っ掛かることなく、ベース部材７２を上棚板５上に簡単に固定することができる。
【００２４】
上述のように、主制御基板１０、副制御基板１２及び回転リール制御基板１３を、中部屋２Ｂに集中して配置したことにより、主制御基板１０を、短い配線１８、１９を介して、副制御基板１２、回転リール制御基板１３に簡単に接続することができる。また、液晶表示装置１５も中部屋２Ｂに対向する前扉３の裏面側に配置されるため、液晶表示装置１５と副制御基板１２との位置関係も近くなり、それらを接続する配線２０も短くして簡単に接続することができる。
【図面の簡単な説明】
【００２５】
【図１】本発明を適用した遊技機の正面図である。
【図２】同じく、前扉を開けた状態の遊技機の正面図である。
【図３】図２におけるIII−III線断面図である。
【図４】遊技機の一部分解斜視図である。
【符号の説明】
【００２６】
１  スロットマシン（遊技機）
２  筐体
２Ａ  上部屋
２Ｂ  中部屋
２Ｃ  下部屋
３  前扉
４  ヒンジ
５  上棚板
６  下棚板
７  回転リールユニット
８  ホッパーユニット
９  基板ケース
１０  主制御基板
１１  電源ユニット
１２  副制御基板
１３  回転リール制御基板
１４  メダル投入部
１５  液晶表示装置（演出表示装置）
１６  演出接続基板
１７  スピーカ
１８、１９、２０  配線
２１  天板
２２  後板
３１  識別情報表示窓
３２  演出情報表示窓
３３  ベットスイッチボタン
３４  スタートスイッチレバー
３５  ストップスイッチボタン
３６  メダル受皿
５１  連通部
５２  係合片
７１  回転リール
７２  ベース部材
７３  係合ピン
【図１】
0005106976.tif 000002
【図２】
0005106976.tif 000003
【図３】
0005106976.tif 000004
【図４】
0005106976.tif 000005